(57)【特許請求の範囲】
【請求項１】
細口部を上にして自立する細口トックリ形の自立浮きであつて、中心軸部に道糸を挿通する貫通穴を有し、細口部に貫通穴に通じる溝を細口部全体にわたって形成していることを特徴とする釣り用浮き。
【請求項２】
細口部を上にして自立する細口トックリ形の自立浮きであつて、中心軸部に道糸を挿通する貫通穴を有し、前記溝をスリットで形成していることを特徴とする請求項1記載の釣り用浮き。
【請求項３】
細口部を上にして自立する細口トックリ形の自立浮きであつて、中心軸部に道糸を挿通する貫通穴を有し、細口部の下部に貫通穴に通じる横穴を有していることを特徴とする請求項1又は２記載の釣り用浮き。
【請求項４】
細口部を上にして起立する細口トックリ形の起立浮きであつて、中心軸部に道糸を挿通する貫通穴を有し、細口部に貫通穴に通じる溝を細口部全体にわたって形成し、浮き本体下部に錘を有していることを特徴とする釣り用浮き。
【請求項５】
細口部を上にして起立する細口トックリ形の起立浮きであつて、中心軸部に道糸を挿通する貫通穴を有し、前記溝をスリットで形成していることを特徴とする請求項４記載の釣り用浮き。
【請求項６】
細口部を上にして起立する細口トックリ形の起立浮きであつて、中心軸部に道糸を挿通する貫通穴を有し、細口部の下部に貫通穴に通じる横穴を有していることを特徴とする請求項４又は５記載の釣り用浮き。
【発明の詳細な説明】
【技術分野】
【０００１】
本発明は,中心部に道糸を挿通する貫通穴と、上部に細口部を有した細口トックリ形浮きに関する。
【背景技術】
【０００２】
従来使用されている細口トックリ形浮きの場合は、道糸を挿通する穴は、浮きの下部に設けられている。
【０００３】
そのために、図４８，４９の参考に示されているいるが、竿を振り出す遠投時点で、浮きは水面浮遊じと、正反対の下部が上部方向になり、遠投時非常にバランス性が悪く、目的地に的確に飛ばすことが難しい場合が多々あつた。
【０００４】
そのため、特に初心者には、好天の場合はまだしも、雨や、風等の条件元では、なおさら目的地に飛ばすことが困難であつた。
【０００５】
また、海底を目的とする底釣り用天秤錘等の場合と異なり、浮き釣りの場合は、場所によつて異なるが、多くの釣り人達は、大抵の場合は可能な限り遠方に飛ばして、リールを巻きながら目的地の水面上に浮きを浮遊させることを、目標とするが、しかし、前期記載の浮では、風の抵抗を受け易く遠方の目的地に浮きを飛ばすことは、非常バランス性がく困難であつた。
【発明の開示】
【発明が解決しようとする課題】
【０００６】
以上述べたように遠投用天秤錘等々の底釣用錘の場合と異なり、特に浮き釣りの場合は、浮きの反応だけが頼りの釣りであるが、従来の細口トックリ形浮きの場合は、浮き下部に設けられている穴に道糸を直接か、又はサルカン等を用いて道糸を通し使用する浮きであるため、遠投時バランス性が悪く浮きを目的地に飛ばし難いという問題点があった。
【０００７】
また、本来浮きと道糸の関係は、水面か水面下部より水面上に表れているが、上記記載の浮きの場合は、浮きの下部より水面上に表れるために、魚が引いた場合でも浮きの反応が遅く、かつ、鈍いと言う問題点も同時にあつた。
【０００８】
本発明は前記記載の、従来の細口トックリ形浮きの構成が有していた問題点を解決しようとするものである。
【課題を解決するための手段】
【０００９】
上記問題点を解決するために本発明の浮きに付いて図に基づいて説明する。    
細口部５を上にして自立する細口トックリ形１の自立浮きと、その中心軸に設けた貫通穴９，１０，１１に挿通した道糸２２と、道糸２２の先端に固定した錘２６と、錘２６に連結したハリス２８とよりなり、前記自立浮きは、その細口部５に前記貫通穴９，１０，１１につながる溝６を有していることを特徴とする細口トックリ形の釣り用浮きである。
【００１０】
また、細口部５を上にして起立する細口トックリ形１の起立浮きの場合も同様に、その中心軸に設けた貫通穴９，１０，１１に挿通した道糸２２と、道糸２２の先端に固定した浮き止め２４と、浮き止め２２に連結したサビキ仕掛け２９と、錘２７よりなり、前記起立浮きは、その細口部５に前記貫通穴９，１０，１１につながる溝６を有していることを特徴とする細口トックリ形の釣り用浮きである。
【００１１】
また、細口部５を上にして自立する細口トックリ形１の自立浮きと、その中心軸に設けた貫通穴９，１０，１１に挿通した道糸２２と、道糸２２の先端に固定した錘２６と、錘に連結したハリス２８とよりなり、前記自立浮きは、その細口部５に前記貫通穴９，１０，１１につながるスリット７を有していることを特徴とする細口トックリ形の釣り用浮きである。
【００１２】
また、細口部５を上にして起立する細口トックリ形１の起立浮きの場合も同様に、その中心軸に設けた貫通穴９，１０，１１に挿通した道糸２２と、道糸２２の先端に固定した浮き止め２４と、浮き止め２４に連結したサビキ仕掛け２９と、錘２７よりなり、前記起立浮きは、その細口部５に前記貫通穴９，１０，１１につながるスリット７を有していることを特徴とする細口トックリ形の釣り用浮きである。
【００１３】
また、細口部５を上にして自立する細口トックリ形１の自立浮きと、その中心軸に設けた貫通穴９，１０，１１に挿通した道糸２２と、道糸２２の先端に固定した錘２６と、錘２６に連結したハリス２８とよりなり、前記自立浮きは、その細口部５の下部に前記貫通穴９，１０，１１につながる横穴を有していることを特徴とする釣り用浮きである。
【００１４】
また、細口部５を上にして起立する細口トックリ形１の起立浮きの場合も同様に、その中心軸に設けた貫通穴９，１０，１１に挿通した道糸２２と、道糸２２の先端に固定した浮き止め２４と、浮き止め２４に連結したサビキ仕掛け２７と、錘２７よりなり、前記起立浮きは、その細口部５の下部に前記貫通穴９，１０，１１につながる横穴を有していることを特徴とする釣り用浮きである。
【００１５】
上記記載の細口トックリ形自立浮きと、起立浮き違いに付いて説明する。
【００１６】
自立浮きを使用する場合は、リールより竿先を介して浮き上部方向から下部方向に道糸を挿通する貫通穴を有している中空間の上部から、道糸を挿通し道糸先端部部に、脱落防止兼用の錘を固定し、さらに、その先端部に針を有したハリスを設けられ、遠投後の浮きとハリスとの浮き下を適宜な間隔に設けるため、浮と、その上部の道糸に設ける浮き止めの位置との間隔で浮き下は保持される。そして、竿を振り出す状態時、道糸は竿先から細口トックリ形浮きに有している溝又はスリットを介して前記記載の浮き先端部の錘及びハリスを設けられている。
【００１７】
そのため、竿を振り出す遠投状態時には、竿先から浮きまでは垂直線状に成り、また、細口部に横穴を有している浮きの場合も、ほぼ直線線状を保持されることにより、従来の同型状の浮きと異なり、浮き本体の底部に設けられえている錘と、道糸先端部の錘双方の作用により飛行時のバランス性が保持されることにより、推進力が得られやすく飛躍的に遠方の目的地に的確に飛ばせることが可能な細口トックリ形自立浮きである。
【００１８】
以下自立浮きと起立浮きに付いて説明する。
【００１９】
また、起立浮きを用いる場合の釣りの仕掛けは、ハリスとして、殆どの場合、サビキ仕掛けを用い、大抵の場合サビキ仕掛けの針は擬餌針であるため、水中での左右の横ぶれ防止策としてサビキ仕掛け先端部に錘を設けられている。さらに、魚寄せ用のコマセ籠等を使用する場合が一般的な釣り方かたであるため、浮き本体には錘を設ける必要はなく、遠投後、錘やコマセ籠等水中沈下して浮き上部の浮き止めの作用により、浮きは起立するよう設けられている。前記自立浮きと異なる点は、浮き本体に錘を有していない点で異なる。
【００２０】
上記のように構成されている細口トリック形の釣り用浮きの最大の特徴は、上記のように構成されている細口トリック形の釣り用浮きであって、遠投する時点で竿先からのびている道糸と、浮きの関係が竿先からのびている道糸が、浮きの細口に設けられている溝や、スリット及び横穴と、浮きの中心軸に設けられている貫通穴を介して浮きの下部に設けられている浮き脱落防止用の浮き止め又は、兼用の錘を設けられている。その効果として前記記載の竿先からのびている道糸は、垂直線状に保持され結果、遠方の目的地に的確に浮きを飛ばすことが可能となる細口トリック形の釣り用浮きである。
【００２１】
また、自立浮きを設ける場合には、浮きに設ける錘と、浮力としての空洞部又は、使用する材料等との比重を考慮することにより、着水時細口部分以上が水面上に浮上するよう適宜な形状及びサイズに設けられている。
【００２２】
さらに、起立浮きを設ける場合も、上記同様に浮き下に設けられる仕掛けに適宜な浮力を考慮して設けられている。
【００２３】
特に、スリットを設ける浮きの場合には、二股又は二股以上に設けることも限定するものではない。さらに、スリット及び溝の幅に付いても道糸が円滑に挿通すればよく限定するものではなく、また、細口部側面及び上部平面の形状や、高低についても限定するものではない。
【００２４】
さらに、浮きに使用する材料は、浮きとして使用可能な材料で有ればよく限定するものではないが、加工しやすく、かつ、一般的に安価なプラスチック等が好ましい。
【００２５】
また、浮き上部の下部と、下部の上部に凹凸部を設けて固着しているが、凹凸に変わり、双方にネジを設け固着することや、さらに、回転接着（スピンドル接着）限定するものではない。
【発明の効果】
【００２６】
上述したように本発明の細口トックリ形釣り用浮きの、自立浮きを使用する場合は、道糸は竿先から細口トックリ形浮きに有している溝又はスリットを介して前記記載の浮き下部先端部に錘と、ハリスを設けられており、従来の同型状の浮きと異なり、竿を振り出す時点で、竿先から浮き下部までは垂直線状に保持され、また、細口部に横穴を有している浮きの場合も、ほぼ直線線状を保持されることにより、前記記載の浮き本体の底部に設けられえている錘と、道糸先端部の錘双方の作用により、飛行時のバランスが保持されることにより、推進力が得られ遠方の目標地へ的確に飛ばすことが可能な細口トックリ形自立浮きである。
【００２７】
また、起立浮きの場合も竿を振り出す時点までの竿先から浮き下部までの状態は同様であるが、、浮き本体には錘を設ける必要はなく、浮き下部先端部のコマセ籠や、サビキ仕掛けの先端部にサビキ仕掛けが左右に横ぶれし難いよう重い錘を用いるために、浮き本体には錘を設ける必要がなく、着水ごは、適宜な位置に設けられている浮き上部の道糸の浮き止めり、起立するよう設けられている釣り用浮きである。前記自立浮きと異なる点は、浮き本体に錘を有していない点で異なる。さらに、空洞部に絶対に水が浸入しないよう設けられている。
【００２８】
また、遠投時浮きから竿先まで垂直線状、又は、ほぼ垂直線状に成るため、初心者でも投げやすい細口トリック形の浮きである。
【００２９】
また、現在毎年釣り人口の減少に苦慮している状態にとり、初心者でも扱いやすい浮きを提供することにより、減少の食い止め又は、増加にも貢献可能な浮きである。
【００３０】
またさらに、構造が単純であり、加工しやすいプラスチック等の材料を用いることにより製造原価も安価であり、その効果として安価で提供することが可能となる釣り用浮きである。
【発明を実施するための最良の形態】
【００３１】
以下，本発明の実施の形態を図１から図４７に基づいて説明する。
【００３２】
図１は、本発明の実施例１、２を示す正面図である。１は、トックリ形浮き本体であり、２は浮きの上部、３は下部である。５は細口部、６は溝、２２は道糸であり、２３は遠投後の上部の浮き止め、２６は浮き脱落防止用を兼ねた錘２６であり、２８はハリス、３０は竿、３１は針である。そして、竿を竿先よりのびている道糸２２は、細口部５の溝６と、図解されていないが、竿３０を振り出す時点では、浮き中心軸の貫通穴を介して下部先端部の浮き止め２４兼用の錘２６まで垂直線状になることにより、推進力が得やすく遠方の目的地に的確に飛ばす時バランス性が良いいために、風等の抵抗も減少するよう構成されているトリック形釣り用浮きである。尚、A-A’方向は、図４０の平面図であり、E-E’方向は実施例１と、２の中央断面図である。
【００３３】
図２は、図１の実施例１のE-E’方向を示している中央断面図である。１は本体のトックリ形浮き本体であり、２は浮き１の上部、３は下部である。また、浮き１の上部２には道糸２２用の貫通穴９を設けられている中空管１２と、溝６を細口部５に一体化して設けられている。また、浮き１の下部３にも道糸２２用の貫通穴１０を設けられている中空管１３を一体化して設けられている。そして、前記記載の、浮きの下部３の貫通穴１０を設けられている中空管１３には、さらに、中心部に穴を設けられている錘２５を固着１９し、浮き１の上部２と下部３双方の円周上の凹凸部を合わせると供に、貫通穴９，１０とを設けられている中空管を、１２を１３中空管に挿入し、前記凹凸部と供に溶剤の接着剤等を用いて固着１７，１８している。そして、４は、前記細口部５下部の適宜な位置で浮き１を遠投着水時、水面上に浮上するよう錘２５等とのバランス性を考慮して設けられている空洞部であり、そして、２６は、浮き脱落防止用の浮き止め２４兼用の錘２６であり、２８はハリス、３０は竿、３１は針である。そして、細口部５の溝６と、竿３０を振り出す時点では、竿３０先からのびている道糸２２は、浮き中心軸の貫通穴９，１０を介して下部先端部の浮き止め２４兼用の錘２６まで垂直線状になることにより、遠方の目的地に的確に飛ばす時バランス性が保持されことにより推進力が得やすく、また、風等の抵抗も減少するよう構成されているトリック形釣り用浮きである。
【００３４】
図３は、図１の実施例２のE-E’方向を示している中央断面図である。１は本体のトックリ形浮き本体であり、２は浮き１の上部、３は下部である。また、浮き１の上部２には道糸２２用の貫通穴９を設けられている中空管１２と、溝６を細口部５に一体化して設けられており、また、浮き１の下部３低部にも道糸２２用の貫通穴１０を設けられている中空管１３と、錘２５とを開口部１６部に、溶剤等の接着剤で固着２１後に、浮き１の上部２と、下部３双方の円周上の凹凸部を合わせると供に、貫通穴９，１０とを設けられている中空管１２を中間管１３に挿入し、前記凹凸部と供に溶剤等の接着剤等を用いて固着１７，１８している。そして、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、細口部５の溝６と、竿３０を振り出す時点では、竿３０先からのびている道糸２２は、浮き中心軸の貫通穴９，１０を介して下部先端部の浮き脱落防止用浮き止めと、兼用した錘２６まで垂直線状になることにより、遠方の目的地に的確に飛ばす時バランス性が保持されことにより推進力が得やすく、また、風等の抵抗も減少するよう構成されているトリック形釣り用浮きである。
【００３５】
図４は、本発明の実施例３、と、４を示す正面図である。１は、トックリ形浮き本体であり、２は浮きの上部、３は下部である。５は細口部、６は溝、２２は道糸であり、２３は遠投後の上部の浮き止め、２６は浮き脱落防止用浮き止め２４を兼ねた錘２６であり、２８はハリス、３０は竿、３１は針である。そして、竿を竿先よりのびている道糸２２は、細口部５の溝６と、図解されていないが、竿３０を振り出す時点では、浮き中心軸の貫通穴を介して下部先端部の錘２６まで垂直線状になることにより、遠方の目的地に的確に飛ばす時バランス性が良いいために、風等の抵抗も減少するよう構成されているトリック形釣り用浮きである。尚、A-A’方向は、図４０の平面図であり、E-E’方向は実施例３と４の中央断面図である。
【００３６】
図５は、図４の実施例３のE-E’方向を示している中央断面図である。１は本体のトックリ形浮き本体であり、２は浮き１の上部、３は下部であり、上部２浮き１の上部方向と、下部３浮きの底部には、錘２５を兼ねて一体成型されており、そして、貫通穴１１と、上部に溝６とを設けた中空管１４を挿入すると供に、前記記載の浮き１上部の下部周囲と、下部３周囲Bに設けられている凹凸部を溶剤等の接着剤等を用いて固着１７，１８，２０，２１している。なお、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、細口部５の溝６と、竿３０を振り出す時点では、竿３０先からのびている道糸２２は、浮き中心軸の貫通穴９，１０を介して下部先端部の浮き脱落防止用浮き止めと、兼用した錘２６まで垂直線状になることにより、遠方の目的地に的確に飛ばす時バランス性が保持されことにより推進力が得やすく、また、風等の抵抗も減少するよう構成されているトリック形釣り用浮きである。
【００３７】
図６は、図４の実施例４のE-E’方向を示している中央断面図である。１は本体のトックリ形浮き本体であり、２は浮き１の上部、３は下部であり、上部２浮き１の上部方向と、下部３浮きの底部には、錘２５り、そして、貫通穴１１と、上部に溝６とを設けた中空管１４を挿入すると供に、前記記載の浮き１上部の下部周囲と、下部３周囲Bに設けられている凹凸部を溶剤等の接着剤等を用いて固着１７，１８，２０，２１している。なお、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、細口部５の溝６と、竿３０を振り出す時点では、竿３０先からのびている道糸２２は、浮き中心軸の貫通穴９，１０を介して下部先端部の浮き脱落防止用浮き止めと、兼用した錘２６まで垂直線状になることにより、遠方の目的地に的確に飛ばす時バランス性が保持されことにより推進力が得やすく、また、風等の抵抗も減少するよう構成されているトリック形釣り用浮きである。
【００３８】
図７は，本発明の実施例５と、６を示す正面図である。溝６を設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、浮き下部先端部の錘２７である。２９は、針３１数本を備えたサビキ仕掛けであり、３０は竿、そして、竿３０先よりのびている道糸２２は、細口部５の溝６と、図解されていないが、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。尚、A-A’方向は、図４０の平面図であり、E-E’方向は実施例５と６の中央断面図である。
【００３９】
図８は、本発明の図７の実施例５を示すE-E’方向中央断面図である。溝６を設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、針３１数本設けられているサビキ仕掛けであり、浮き下部先端部の錘２７である。２９は、針３１数本を備えたサビキ仕掛けであり、３０は竿、そして、竿３０先よりのびている道糸２２は、細口部５の溝６と、中心部に道糸２２用の貫通穴１１を設けられている。そして、竿３０を振り出す時点では、浮き１中心軸の貫通穴１１を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。尚、適宜な浮力を得る方法としては、水より比重の木材やプラスチック材を用いればよい。
【００４０】
図９は，本発明の図７の実施例６を示すE-E’方向中央断面図である。溝６を設けられている細口部５と、細口部５に溝６を設け、下部底部に貫通穴１１を設けた中空管１４挿入して固着２０、２１する開口部１６を設けられている。そして、２２は道糸であり、２３は遠投後の上部の浮き止め、２４は浮き脱落防止用浮き止め、２９は、浮き下部先端部の錘２７である。さらに、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、２９は、針３１数本を備えたサビキ仕掛けであり、３０は竿、そして、竿３０先よりのびている道糸２２は、細口部５の溝６と、中心部に道糸２２用の貫通穴１１を設けられている。そして、竿３０を振り出す時点では、浮き１中心軸の貫通穴１１を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。
【００４１】
図１０は，本発明の実施例７を示す正面図である。溝６を設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、浮き下部先端部の錘２７である。２９は、針３１数本を備えたサビキ仕掛けであり、３０は竿、そして、竿３０先よりのびている道糸２２は、細口部５の溝６と、図解されていないが、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。尚、A-A’方向は、図４０の平面図であり、E-E’方向は実施例５と６の中央断面図である。
【００４２】
図１１は，図１０は，本発明の実施例７を示す断面図である。溝６を設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、浮き下部先端部の錘２７である。また、４は、前記細口部５下部の適宜な位置で浮き１を遠投着水時、水面上に浮上するよう錘２５等とのバランス性を考慮して設けられている空洞部であり、２９は、針３１数本を備えたサビキ仕掛けであり、３０は竿、そして、竿３０先よりのびている道糸２２は、細口部５の溝６と、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。
【００４３】
図１２は、本発明の実施例８を示す正面図である。浮き１本体の中心部に上下方向に貫通穴を設けられている中空管１４と、錘と、上部には、溝６を設けられている細口部５を装着する開口部２０、２１を設けて、前記中空間管１４と、錘、そして細口部５をそれぞれ固着している。３０は竿、そして、竿３０先よりのびている道糸２２は、細口部５の溝６と、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。A-A’方向は図４１の平面図であり、E-E’方向は図１３の中央断面図である。
【００４４】
図１３は、図１２の本発明の実施例８を示す断面図である
浮き１本体の中心部に上下方向に貫通穴１１を設けられている中空管１４と、錘２５と、上部には、溝６を設けられている細口部５を装着する開口部２０、２１を設けて、前記中空間管１４と、錘２５、そして細口部５をそれぞれ固着２０，２１している。そして、４は、前記細口部５下部の適宜な位置で浮き１を遠投着水時、水面上に浮上するよう錘２５等とのバランス性を考慮して設けられている空洞部であり、２９は、針３１数本を備えたサビキ仕掛けであり、３０は竿、そして、竿３０先よりのびている道糸２２は、細口部５の溝６と、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。
【００４５】
図１４は、本発明の実施例９，１０を示す正面図である。１は、トックリ形浮き本体であり、２は浮きの上部、３は下部である。５は細口部、７は、スリット、２２は道糸であり、２３は遠投後の上部の浮き止め、２６は浮き脱落防止用を兼ねた錘２６であり、２８はハリス、３０は竿、３１は針である。そして、竿を竿先よりのびている道糸２２は、細口部５のスリット７と、図解されていないが、竿３０を振り出す時点では、浮き中心軸の貫通穴を介して下部先端部の浮き止め２４兼用の錘２６まで垂直線状になることにより、推進力が得やすく遠方の目的地に的確に飛ばす時バランス性が良いいために、風等の抵抗も減少するよう構成されているトリック形釣り用浮きである。尚、Ｂ-Ｂ‘’方向は、図４２の平面図であり、Ｆ-Ｆ’方向は実施例９，１０の中央断面図である。
【００４６】
図１５は、図１４の実施例９のE-E’方向を示している中央断面図である。１は本体のトックリ形浮き本体であり、２は浮き１の上部、３は下部である。また、浮き１の上部２には道糸２２用の貫通穴９を設けられている中空管１２と、スリット７を細口部５に一体化して設けられている。また、浮き１の下部３にも道糸２２用の貫通穴１０を設けられている中空管１３を一体化して設けられている。そして、前記記載の、浮きの下部３の貫通穴１０を設けられている中空管１３には、さらに、中心部に穴を設けられている錘２５を固着１９し、浮き１の上部２と下部３双方の円周上の凹凸部を合わせると供に、貫通穴９，１０とを設けられている中空管を、１２を１３中空管に挿入し、前記凹凸部と供に溶剤の接着剤等を用いて固着１７，１８している。そして、４は、前記細口部５下部の適宜な位置で浮き１を遠投着水時、水面上に浮上するよう錘２５等とのバランス性を考慮して設けられている空洞部であり、そして、２６は、浮き脱落防止用の浮き止め２４兼用の錘２６であり、２８はハリス、３０は竿、３１は針である。そして、細口部５のスリット７と、竿３０を振り出す時点では、竿３０先からのびている道糸２２は、浮き中心軸の貫通穴９，１０を介して下部先端部の浮き止め２４兼用の錘２６まで垂直線状になることにより、遠方の目的地に的確に飛ばす時バランス性が保持されことにより推進力が得やすく、また、風等の抵抗も減少するよう構成されているトリック形釣り用浮きである。
【００４７】
図１６は、図１４の実施例１０のE-E’方向を示している中央断面図である。１は本体のトックリ形浮き本体であり、２は浮き１の上部、３は下部である。また、浮き１の上部２には道糸２２用の貫通穴９を設けられている中空管１２と、スリット７を細口部５に一体化して設けられており、また、浮き１の下部３低部にも道糸２２用の貫通穴１０を設けられている中空管１３と、錘２５とを開口部１６部に、溶剤等の接着剤で固着２１後に、浮き１の上部２と、下部３双方の円周上の凹凸部を合わせると供に、貫通穴９，１０とを設けられている中空管１２を中間管１３に挿入し、前記凹凸部と供に溶剤等の接着剤等を用いて固着１７，１８している。そして、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、細口部５のスリット７と、竿３０を振り出す時点では、竿３０先からのびている道糸２２は、浮き中心軸の貫通穴９，１０を介して下部先端部の浮き脱落防止用浮き止めと、兼用した錘２６まで垂直線状になることにより、遠方の目的地に的確に飛ばす時バランス性が保持されことにより推進力が得やすく、また、風等の抵抗も減少するよう構成されているトリック形釣り用浮きである。
【００４８】
図１７は、本発明の実施例１１と、１２を示す正面図である。１は、トックリ形浮き本体であり、２は浮きの上部、３は下部である。５は細口部、７は、スリット、２２は道糸であり、２３は遠投後の上部の浮き止め、２６は浮き脱落防止用浮き止め２４を兼ねた錘２６であり、２８はハリス、３０は竿、３１は針である。そして、竿を竿先よりのびている道糸２２は、細口部５の溝６と、図解されていないが、竿３０を振り出す時点では、浮き中心軸の貫通穴を介して下部先端部の錘２６まで垂直線状になることにより、遠方の目的地に的確に飛ばす時バランス性が良いいために、風等の抵抗も減少するよう構成されているトリック形釣り用浮きである。尚、Ｂ-Ｂ’方向は、図４２の平面図でありＦ-Ｆ’方向’方向は実施例１１と、１２の中央断面図である。
【００４９】
図１８は、図１７の実施例１１のE-E’方向を示している中央断面図である。１は本体のトックリ形浮き本体であり、２は浮き１の上部、３は下部であり、上部２浮き１の上部方向と、下部３浮きの底部には、錘２５を兼ねて一体成型されており、そして、貫通穴１１と、上部に溝６とを設けた中空管１４を挿入すると供に、前記記載の浮き１上部の下部周囲と、下部３周囲に設けられている凹凸部を溶剤等の接着剤等を用いて固着１７，１８，２０，２１している。なお、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、細口部５のスリット７と、竿３０を振り出す時点では、竿３０先からのびている道糸２２は、浮き中心軸の貫通穴９，１０を介して下部先端部の浮き脱落防止用浮き止めと、兼用した錘２６まで垂直線状になることにより、遠方の目的地に的確に飛ばす時バランス性が保持されことにより推進力が得やすく、また、風等の抵抗も減少するよう構成されているトリック形釣り用浮きである。
【００５０】
図１９は、図１７の実施例１２のE-E’方向を示している中央断面図である。１は本体のトックリ形浮き本体であり、２は浮き１の上部、３は下部であり、上部２浮き１の上部方向と、下部３浮きの底部には、錘２５り、そして、貫通穴１１と、上部に溝６とを設けた中空管１４を挿入すると供に、前記記載の浮き１上部の下部周囲と、下部３周囲に設けられている凹凸部を溶剤等の接着剤等を用いて固着１７，１８，２０，２１している。なお、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、細口部５のスリット７と、竿３０を振り出す時点では、竿３０先からのびている道糸２２は、浮き中心軸の貫通穴９，１０を介して下部先端部の浮き脱落防止用浮き止めと、兼用した錘２６まで垂直線状になることにより、遠方の目的地に的確に飛ばす時バランス性が保持されことにより推進力が得やすく、また、風等の抵抗も減少するよう構成されているトリック形釣り用浮きである。
【００５１】
図２０は，本発明の実施例１３と、１４を示す正面図である。スリット７を設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、浮き下部先端部の錘２７である。２９は、針３１数本を備えたサビキ仕掛けであり、３０は竿、そして、竿３０先よりのびている道糸２２は、細口部５の溝６と、図解されていないが、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。尚、Ｂ-Ｂ’方向は、図４２の平面図であり、Ｆ-Ｆ’’方向は実施例１３と、１４の中央断面図である。
【００５２】
図２１は、本発明の図２０の実施例１３を示すE-E’方向中央断面図である。溝６を設けられている細口部５とを、一体成型されて設けられえているトックリ形浮き１である。そして、細口部５にスリット７を設けている。２２は道糸であり、２３は遠投後の上部の浮き止め、２４は浮き脱落防止用浮き止め、２９は、針３１数本設けられているサビキ仕掛けであり、浮き下部先端部の錘２７である。２９は、針３１数本を備えたサビキ仕掛けであり、３０は竿、そして、竿３０先よりのびている道糸２２は、細口部５のスリット７と、中心部に道糸２２用の貫通穴１１を設けられている。そして、竿３０を振り出す時点では、浮き１中心軸の貫通穴１１を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。尚、適宜な浮力を得る方法としては、水より比重の木材やプラスチック材を用いればよい。
【００５３】
図２２は，本発明の図７の実施例１４を示すE-E’方向中央断面図である。スリット７を設けられている細口部５と、下部底部に貫通穴１１を設けた中空管１４挿入して固着２０、２１する開口部１６を設けられている。そして、２２は道糸であり、２３は遠投後の上部の浮き止め、２４は浮き脱落防止用浮き止め、２９は、浮き下部先端部の錘２７である。さらに、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、２９は、針３１数本を備えたサビキ仕掛けであり、３０は竿、そして、竿３０先よりのびている道糸２２は、細口部５のスリット７と、中心部に道糸２２用の貫通穴１１を設けられている。そして、竿３０を振り出す時点では、浮き１中心軸の貫通穴１１を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。
【００５４】
図２３は，本発明の実施例１５を示す正面図である。スリット７を設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、浮き下部先端部の錘２７である。２９は、針３１数本を備えたサビキ仕掛けであり、３０は竿、そして、竿３０先よりのびている道糸２２は、細口部５のスリット７と、図解されていないが、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。尚、B-B’方向は、図４２の平面図であり、Ｆ-Ｆ’方向は実施例１５の中央断面図である。
【００５５】
図２４は，図２３の本発明の実施例７を示す断面図である。スリット７を設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、浮き下部先端部の錘２７である。また、４は、前記細口部５下部の適宜な位置で浮き１を遠投着水時、水面上に浮上するよう錘２５等とのバランス性を考慮して設けられている空洞部であり、２９は、針３１数本を備えたサビキ仕掛けであり、３０は竿、そして、竿３０先よりのびている道糸２２は、細口部５のスリット７と、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。
【００５６】
図２５は、本発明の実施例１６を示す正面図である。浮き１本体の中心部に上下方向に貫通穴を設けられている中空管１４と、錘と、上部には、スリット７を設けられている細口部５を装着する開口部２０、２１を設けて、前記中空間管１４と、錘、そして細口部５をそれぞれ固着している。３０は竿、そして、竿３０先よりのびている道糸２２は、細口部５のスリット７と、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。B-B’’方向は図４３の平面図であり、F-F’方向は図１６の中央断面図である。
【００５７】
図２６は、図２５の本発明の実施例１６を示す断面図である
浮き１本体の中心部に上下方向に貫通穴１１を設けられている中空管１４と、錘２５と、上部には、スリット７を設けられている細口部５を装着する開口部２０、２１を設けて、前記中空間管１４と、錘２５、そして細口部５をそれぞれ固着２０，２１している。そして、４は、前記細口部５下部の適宜な位置で浮き１を遠投着水時、水面上に浮上するよう錘２５等とのバランス性を考慮して設けられている空洞部であり、２９は、針３１数本を備えたサビキ仕掛けであり、３０は竿、そして、竿３０先よりのびている道糸２２は、細口部５のスリット７と、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。
【００５８】
図２７、本発明の実施例１７と、１８を示す正面図である。１は、トックリ形浮き本体であり、２は浮きの上部、３は下部である。５は細口部であり、１５Aは、横穴であり、２２は道糸であり、２３は遠投後の上部の浮き止め、２６は浮き脱落防止用を兼ねた錘２６であり、２８はハリス、３０は竿、３１は針である。そして、竿を竿先よりのびている道糸２２は、細口部５の横穴１５Ａと、図解されていないが、竿３０を振り出す時点では、浮き中心軸の貫通穴を介して下部先端部の浮き止め２４兼用の錘２６まで垂直線状になることにより、推進力が得やすく遠方の目的地に的確に飛ばす時バランス性が良いいために、風等の抵抗も減少するよう構成されているトリック形釣り用浮きである。尚、Ｃ-Ｃ’方向は、図４４の平面図であり、Ｇ-Ｇ’方向は実施例１７と、１８の中央断面図である。
【００５９】
図２８は、図２７の実施例１のE-E’方向を示している中央断面図である。１は本体のトックリ形浮き本体であり、２は浮き１の上部、３は下部である。また、浮き１の上部２には道糸２２用の貫通穴９を設けられている中空管１２と、横穴１５Ａを細口部５に一体化して設けられている。また、浮き１の下部３にも道糸２２用の貫通穴１０を設けられている中空管１３を一体化して設けられている。そして、前記記載の、浮きの下部３の貫通穴１０を設けられている中空管１３には、さらに、中心部に穴を設けられている錘２５を固着１９し、浮き１の上部２と下部３双方の円周上の凹凸部を合わせると供に、貫通穴９，１０とを設けられている中空管を、１２を１３中空管に挿入し、前記凹凸部と供に溶剤の接着剤等を用いて固着１７，１８している。そして、４は、前記細口部５下部の適宜な位置で浮き１を遠投着水時、水面上に浮上するよう錘２５等とのバランス性を考慮して設けられている空洞部であり、そして、２６は、浮き脱落防止用の浮き止め２４兼用の錘２６であり、２８はハリス、３０は竿、３１は針である。そして、細口部５の横穴１５Ａと、竿３０を振り出す時点では、竿３０先からのびている道糸２２は、浮き中心軸の貫通穴９，１０を介して下部先端部の浮き止め２４兼用の錘２６まで垂直線状になることにより、遠方の目的地に的確に飛ばす時バランス性が保持されことにより推進力が得やすく、また、風等の抵抗も減少するよう構成されているトリック形釣り用浮きである。
【００６０】
図２９は、図２７の実施例１８のE-E’方向を示している中央断面図である。１は本体のトックリ形浮き本体であり、２は浮き１の上部、３は下部である。また、浮き１の上部２には道糸２２用の貫通穴９を設けられている中空管１２と、横穴１５Ａを細口部５に一体化して設けられており、また、浮き１の下部３低部にも道糸２２用の貫通穴１０を設けられている中空管１３と、錘２５とを開口部１６部に、溶剤等の接着剤で固着２１後に、浮き１の上部２と、下部３双方の円周上の凹凸部を合わせると供に、貫通穴９，１０とを設けられている中空管１２を中間管１３に挿入し、前記凹凸部と供に溶剤等の接着剤等を用いて固着１７，１８している。そして、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、細口部５の横穴１５Ａと、竿３０を振り出す時点では、竿３０先からのびている道糸２２は、浮き中心軸の貫通穴９，１０を介して下部先端部の浮き脱落防止用浮き止めと、慣用した錘２６まで垂直線状になることにより、遠方の目的地に的確に飛ばす時バランス性が保持されことにより推進力が得やすく、また、風等の抵抗も減少するよう構成されているトリック形釣り用浮きである。
【００６１】
図３０は、本発明の実施例１９と、２０を示す正面図である。１は、トックリ形浮き本体であり、２は浮きの上部、３は下部である。５は細口部、横穴１５Ａ、２２は道糸であり、２３は遠投後の上部の浮き止め、２６は浮き脱落防止用浮き止め２４を兼ねた錘２６であり、２８はハリス、３０は竿、３１は針である。そして、竿を竿先よりのびている道糸２２は、細口部５の横穴１５Ａと、図解されていないが、竿３０を振り出す時点では、浮き中心軸の貫通穴を介して下部先端部の錘２６まで垂直線状になることにより、遠方の目的地に的確に飛ばす時バランス性が良いいために、風等の抵抗も減少するよう構成されているトリック形釣り用浮きである。尚、      Ｃ-Ｃ‘’方向は、図４４の平面図であり、Ｇ-Ｇ’方向は実施例１９と２０の中央断面図である。
【００６２】
図３１は、図３０の実施例１９のE-E’方向を示している中央断面図である。１は本体のトックリ形浮き本体であり、２は浮き１の上部、３は下部であり、上部２浮き１の上部方向と、下部３浮きの底部には、錘２５を兼ねて一体成型されており、そして、貫通穴１１と、上部に横穴１５Ａとを設けた中空管１４を挿入すると供に、前記記載の浮き１上部の下部周囲と、下部３周囲Bに設けられている凹凸部を溶剤等の接着剤等を用いて固着１７，１８，２０，２１している。なお、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、細口部５の浮き中心軸の貫通穴９，１０を介して下部先端部の浮き脱落防止用浮き止めと、兼用した錘２６まで垂直線状になることにより、遠方の目的地に的確に飛ばす時バランス性が保持されことにより推進力が得やすく、また、風等の抵抗も減少するよう構成されているトリック形釣り用浮きである。
【００６３】
図３２は、図３０の実施例２０−のE-E’方向を示している中央断面図である。１は本体のトックリ形浮き本体であり、２は浮き１の上部、３は下部であり、上部２浮き１の上部方向と、下部３浮きの底部には、錘２５り、そして、貫通穴１１と、上部に横穴１５Ａとを設けた中空管１４を挿入すると供に、前記記載の浮き１上部の下部周囲と、下部３周囲Bに設けられている凹凸部を溶剤等の接着剤等を用いて固着１７，１８，２０，２１している。なお、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、細口部５の横穴１５Ａと、竿３０を振り出す時点では、竿３０先からのびている道糸２２は、浮き中心軸の貫通穴９，１０を介して下部先端部の浮き脱落防止用浮き止めと、兼用した錘２６まで垂直線状になることにより、遠方の目的地に的確に飛ばす時バランス性が保持されことにより推進力が得やすく、また、風等の抵抗も減少するよう構成されているトリック形釣り用浮きである。
【００６４】
図３３は，本発明の実施例２１と、２２を示す正面図である。横穴１５Ａを設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、浮き下部先端部の錘２７である。２９は、針３１数本を備えたサビキ仕掛けであり、３０は竿、そして、竿３０先よりのびている道糸２２は、細口部５の横穴１５Ａと、図解されていないが、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。尚、Ｃ-Ｃ’方向は、図４４の平面図であり、Ｇ-Ｇ’方向は実施例２１と２２の中央断面図である。
【００６５】
図３４は、本発明の図３３の実施例２１を示すE-E’方向中央断面図である。横穴１５Ａを設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、針３１数本設けられているサビキ仕掛けであり、浮き下部先端部の錘２７である。２９は、針３１数本を備えたサビキ仕掛けであり、３０は竿、そして、竿３０先よりのびている道糸２２は、細口部５の横穴１５Ａと、中心部に道糸２２用の貫通穴１１を設けられている。そして、竿３０を振り出す時点では、浮き１中心軸の貫通穴１１を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。尚、適宜な浮力を得る方法としては、水より比重の木材やプラスチック材を用いればよい。
【００６６】
図３５は，本発明の図３３の実施例２２を示すE-E’方向中央断面図である。横穴１５Ａを設けられている細口部５と、下部底部に貫通穴１１を設けた中空管１４挿入して固着２０、２１する開口部１６を設けられている。そして、２２は道糸であり、２３は遠投後の上部の浮き止め、２４は浮き脱落防止用浮き止め、２９は、浮き下部先端部の錘２７である。さらに、４は、前記細口部５下部の適宜な位置で浮き１を遠投着水時、水面上に浮上するよう錘２５等とのバランス性を考慮して設けられている空洞部であり、２８はハリス、３０は竿、３１は針であり、そして、２９は、針３１数本を備えたサビキ仕掛けであり、３０は竿、そして、竿３０先よりのびている道糸２２は、細口部５の横穴１５Ａと、中心部に道糸２２用の貫通穴１１を設けられている。そして、竿３０を振り出す時点では、浮き１中心軸の貫通穴１１を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。
【００６７】
図３６は，本発明の実施例２３を示す正面図である。横穴１５Ａを設けられている細口部５とを、一体成型されて設けられえているトックリ形浮き１である。そして、細口部５に溝６を設けている。２２は道糸であり、２３は遠投後の上部の浮き止め、２４は浮き脱落防止用浮き止め、２９は、浮き下部先端部の錘２７である。２９は、針３１数本を備えたサビキ仕掛けであり、３０は竿、そして、竿３０先よりのびている道糸２２は、細口部５の溝６と、図解されていないが、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。尚、Ｃ-Ｃ’方向は、図４４の平面図であり、Ｇ-Ｇ’方向は実施例２３の中央断面図である。
【００６８】
図３７は，図３６の本発明の実施例２３を示す断面図である。横穴１５Ａを設けられている細口部５とを、一体成型されて設けられえているトックリ形浮き１である。そして、細口部５に横穴１５Ａを設けている。２２は道糸であり、２３は遠投後の上部の浮き止め、２４は浮き脱落防止用浮き止め、２９は、浮き下部先端部の錘２７である。また、４は、前記細口部５下部の適宜な位置で浮き１を遠投着水時、水面上に浮上するよう錘２５等とのバランス性を考慮して設けられている空洞部であり、２９は、針３１数本を備えたサビキ仕掛けであり、３０は竿、そして、竿３０先よりのびている道糸２２は、細口部５の横穴１５Ａと、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。
【００６９】
図３８は、本発明の実施例２４示す正面図である。浮き１本体の中心部に上下方向に貫通穴を設けられている中空管１４と、錘と、上部には、横穴１５Ａを設けられている細口部５を装着する開口部２０、２１を設けて、前記中空間管１４と、錘、そして細口部５をそれぞれ固着している。３０は竿、そして、竿３０先よりのびている道糸２２は、細口部５の横穴１５Ａと、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。Ｃ-Ｃ’方向は図４５の平面図であり、Ｇ-Ｇ’方向は図３９の中央断面図である。
【００７０】
図３９は、図３８の本発明の実施例８を示す断面図である
浮き１本体の中心部に上下方向に貫通穴１１を設けられている中空管１４と、錘２５と、上部には横穴１５Ａを設けられている細口部５を装着する開口部２０、２１を設けて、前記中空間管１４と、錘２５、そして細口部５をそれぞれ固着２０，２１している。そして、４は、前記細口部５下部の適宜な位置で浮き１を遠投着水時、水面上に浮上するよう錘２５等とのバランス性を考慮して設けられている空洞部であり、２９は、針３１数本を備えたサビキ仕掛けであり、３０は竿、そして、竿３０先よりのびている道糸２２は、細口部５の横穴１５Ａと、竿３０を振り出す時点では、浮き中心軸の貫通穴を介して下部先端部の錘２７まで垂直線状になることにより、遠方の目的地に的確に飛ばす時、バランス性が保持されるために推進力が得られやすく、風等の抵抗も減少するよう構成されているトリック形釣り用浮きである。
【００７１】
図４０は、図１，４，７、及び１０のA-A’方向の平面図である。
１は、細口トックリ形浮き、５は、細口部、６は、溝であり、２２は、道糸である。
【００７２】
図４１は、図１２のA-A’方向の平面図である。
１は、細口トックリ形浮き、５は、細口部、６は、溝であり、２２は、道糸である。
【００７３】
図４２は、図１４、１７、２０、及び２３のA-A’方向の平面図である。
１は、細口トックリ形浮き、５は、細口部、７は、スリットであり、２２は、道糸である。
【００７４】
図４３は、図２５のA-A’方向の平面図である。
１は、細口トックリ形浮き、５は、細口部、７は、スリットであり、２２は、道糸である。
【００７５】
図４４は、図２７，３０，３３及び３６のA-A’方向の平面図である。
１は、細口トックリ形浮き、５は、細口部、１５Aは、横穴であり、２２は、道糸である。
【００７６】
図４５は、図３８のA-A’方向の平面図である。
１は、細口トックリ形浮き、５は、細口部、１５Aは、横穴であり、２２は、道糸である。
【００７７】
図４６は、溝を設ける細口部及び平面状の形状は限定せず、例えば菱形状に設けられた平面図参考図である。
１は、細口トックリ形浮き、５は、細口部、６は溝であり、２２は、道糸である。
【００７８】
図４７も上記同様に、細口部５に設けられえているスリットは二股、又は二股以上でも良く限定するものではない、また、さらに、設ける細口部及び平面状の形状も限定せず、例えば菱形状に設けられた平面図参考図である。
１は、細口トックリ形浮き、５は、細口部、７は、スリットであり、２２は、道糸である。
【００７９】
図４８と、４９に付いて説明する。
従来形の細口トックリ形の自立浮き及び起立浮き供に、竿を振り出す時点での浮きの状態が水面浮上時とは、正反対方向になることにより、非常にバランス性が悪く、遠方の目的地に的確に飛ばすことが、非常に困難である状態を示している参考図である。
【００８０】
以上、図１から４７のように構成された細口トックリ形浮きの最大の特徴は上記のように構成されている細口トリック形の釣り用浮きであって、遠投する時点で竿先からのびている道糸と、浮きの関係が竿先からのびている道糸が、浮きの細口に設けられている溝や、スリット及び横穴と、浮きの中心軸に設けられている貫通穴を介して浮きの下部に設けられている浮き脱落防止用の浮き止め又は、兼用の錘を設けられている。その効果として前記記載の竿先からのびている道糸は、垂直線状に保持され結果、遠方の目的地に的確に浮きを飛ばすことが可能となる細口トリック形の釣り用浮きである。
、
【図面の簡単な説明】
【００８１】
【図１】図１は、本発明の実施例１、２を示す正面図。
【図２】図２は、本発明の実施例１を示すE-E’方向中央断面図。
【図３】図３は、本発明の実施例２を示すE-E’方向中央断面図。
【図４】図４は、本発明の実施例３，４を示す正面図。
【図５】図５は、本発明の実施例３を示すE-E’方向中央断面図。
【図６】図６は、本発明の実施例４を示すE-E’方向中央断面図。
【図７】図７は、本発明の実施例５，６を示す正面図。
【図８】図８は、本発明の実施例５を示すE-E’方向中央断面図。
【図９】図９は、本発明の実施例６を示すE-E’方向中央断面図。
【図１０】図１０は、本発明の実施例７を示す正面図。
【図１１】図１１は、本発明の実施例７を示すE-E’方向中央断面図。
【図１２】図１２は、本発明の実施例８を示す正面図。
【図１３】図１３は、本発明の実施例８を示すE-E’方向中央断面図。
【図１４】図１４は、本発明の実施例９，１０を示す正面図。
【図１５】図１５は、本発明の実施例９を示すF-F’方向中央断面図。
【図１６】図１６は、本発明の実施例１０を示すF-F’方向中央断面図。
【図１７】図１７は、本発明の実施例１１，１２を示す正面図。
【図１８】図１８は、本発明の実施例１１を示すF-F’方向中央断面図。
【図１９】図１９は、本発明の実施例１２を示すF-F’方向中央断面図。
【図２０】図２０は、本発明の実施例１３，１４を示す正面図。
【図２１】図２１は、本発明の実施例１３を示すF-F’方向中央断面図。
【図２２】図２２は、本発明の実施例１４を示すF-F’方向中央断面図。
【図２３】図２３は、本発明の実施例１５を示す正面図。
【図２４】図２４は、本発明の実施例１５を示すF-F’方向中央断面図。
【図２５】図２５は、本発明の実施例１６を示す正面図。
【図２６】図２６は、本発明の実施例１６を示すF-F’方向中央断面図。
【図２７】図２７は、本発明の実施例１７，１８を示す正面図である。
【図２８】図２８は、本発明の実施例１７を示すG-G’’方向中央断面図。
【図２９】図２９は、本発明の実施例１８を示すG-G’’方向中央断面図。
【図３０】図３０は、本発明の実施例１９，２０を示す正面図である。
【図３１】図３１は、本発明の実施例１９を示すG-G’’方向中央断面図。
【図３２】図３２は、本発明の実施例２０を示すG-G’’方向中央断面図。
【図３３】図３３は、本発明の実施例２１，２２を示す正面図である。
【図３４】図３４は、本発明の実施例２１を示すG-G’’方向中央断面図。
【図３５】図３５は、本発明の実施例２２を示すG-G’’方向中央断面図。
【図３６】図３６は、本発明の実施例２３を示す正面図である。
【図３７】図３７は、本発明の実施例２３を示すG-G’’方向中央断面図。
【図３８】図３８は、本発明の実施例２４を示す正面図である。
【図３９】図３９は、本発明の実施例２４を示すG-G’’方向中央断面図。
【図４０】図４０は、図１，４，７，１０のA-A’方向を示す平面図。
【図４１】図４１は、図１２のA-A’方向を示す平面図。
【図４２】図４２は、図１４，１７，２０，２３のB-B’方向を示す平面図。
【図４３】図４３は、図２５のB-B’方向を示す平面図。
【図４４】図４４は、図２７，３０，３３，３６のＣ-Ｃ’方向を示す平面図。
【図４５】図４５は、図３８のＣ-Ｃ’方向を示す平面図。
【図４６】図４６は、図１，４，７、１０の他の平面参考図
【図４７】図４７は、図１４，１７，２０，２３の他の平面参考図。
【図４８】図４８は、従来形の自立浮きの参考図。
【図４９】図４9は、従来形の起立浮きの参考図。
【符号の説明】
【００８２】
浮き      １  
上部      ２
下部      ３
空洞部    ４
細口部    ５
溝        ６
スリット  ７
横穴      ８
貫通穴    ９、１０、１１
中空管    １２、１３、１４
開口部    １５、１５Ａ，１６  
固着      １７、１８、１９、２０、２１
道糸      ２２
浮き止め  ２３、２４
錘        ２５、２６、２７
ハリス    ２８
サビキ仕掛け  ２９
竿        ３０
針        ３１
位置      ３２，３３，３４   
方向      上方，下方，A-A’,  B-B’,  C-C’,  D-D’,  E-E’  G-G’
【要約】
【課題】使用性及び機能性に優れた作用効果を発揮する万能釣り用浮きを提供することである。
【解決手段】
従来の、細口トックリ形形状の浮きの場合は、自立浮き及び起立浮き双方供に浮きの下部に穴を設けている。そのため道糸を穴に通した状態で、竿を振り出す場合いには、浮きが水面に浮遊する状態とは正反対の、前記記載の浮きの下部が上部になるため非常にバランス性悪く、その結果風等の抵抗を受けやすく目的地に確実に飛ばすことが困難であつた。しかし、本発明の細口トックリ形の場合には浮きの中心軸に道糸用の貫通穴、細口部に溝や、スリット及び横穴を設けることにより、竿先上部より道糸が前記載の溝や、スリット及び横穴さらに、前記貫通穴を介して浮き下部の浮き止め又は錘を固定して設けられていることにより、竿先から浮きの下部までほぼ垂直線状になり、風等の抵抗も減少し、遠方の目的地に的確に飛ばすことが可能な細口トックリ形の釣り用浮きを提供することができる
【選択図】図１【図１】
0004819965.tif 000002
【図２】
0004819965.tif 000003
【図３】
0004819965.tif 000004
【図４】
0004819965.tif 000005
【図５】
0004819965.tif 000006
【図６】
0004819965.tif 000007
【図７】
0004819965.tif 000008
【図８】
0004819965.tif 000009
【図９】
0004819965.tif 000010
【図１０】
0004819965.tif 000011
【図１１】
0004819965.tif 000012
【図１２】
0004819965.tif 000013
【図１３】
0004819965.tif 000014
【図１４】
0004819965.tif 000015
【図１５】
0004819965.tif 000016
【図１６】
0004819965.tif 000017
【図１７】
0004819965.tif 000018
【図１８】
0004819965.tif 000019
【図１９】
0004819965.tif 000020
【図２０】
0004819965.tif 000021
【図２１】
0004819965.tif 000022
【図２２】
0004819965.tif 000023
【図２３】
0004819965.tif 000024
【図２４】
0004819965.tif 000025
【図２５】
0004819965.tif 000026
【図２６】
0004819965.tif 000027
【図２７】
0004819965.tif 000028
【図２８】
0004819965.tif 000029
【図２９】
0004819965.tif 000030
【図３０】
0004819965.tif 000031
【図３１】
0004819965.tif 000032
【図３２】
0004819965.tif 000033
【図３３】
0004819965.tif 000034
【図３４】
0004819965.tif 000035
【図３５】
0004819965.tif 000036
【図３６】
0004819965.tif 000037
【図３７】
0004819965.tif 000038
【図３８】
0004819965.tif 000039
【図３９】
0004819965.tif 000040
【図４０】
0004819965.tif 000041
【図４１】
0004819965.tif 000042
【図４２】
0004819965.tif 000043
【図４３】
0004819965.tif 000044
【図４４】
0004819965.tif 000045
【図４５】
0004819965.tif 000046
【図４６】
0004819965.tif 000047
【図４７】
0004819965.tif 000048
【図４８】
0004819965.tif 000049
【図４９】
0004819965.tif 000050